(57)【要約】      （修正有）【課題】着脱操作時の操作性の簡略容易化と強打撃の不要化による作業者の安全性の向上を図った作業機械バケットに用いる横型ロックピン構造を提供する。【解決手段】作業機械バケットの掘削縁部側に取り付けたアダプタ２に対して、このアダプタに嵌着するツース盤３をロック、又はロック解除可能に連結するように構成した横型ロックピン構造１であって、前記アダプタ及びツース盤に、各々横方向に貫通するロック受体２１用の溝孔４及び横型ロックピン１１用の挿通穴５を連通状態に設け、この挿通穴に挿通配置した横型ロックピン本体１２外周の前記挿通穴との係合と、前記溝孔に固定配置した突出ピン構造のロック受体に対する前記横型ロックピン本体回転操作に基づいて、横型ロックピン本体に設けた溝部とロック受体の前記突出ピン構造とのロック嵌合による一体化、又はロック嵌合解除による一体化解除とにより、前記アダプタと、前記ツース盤とをロック状態、又はロック解除状態とするにようにしたものである。【選択図】図１
0003235582.tif 000002
【実用新案登録請求の範囲】
【請求項１】
作業機械バケットの掘削縁部側に取り付けたアダプタに対して、このアダプタに嵌着するツース盤をロック又はロック解除可能に連結する横型ロックピン構造であって、
前記アダプタ及びツース盤に各々横方向に貫通するロック受体用の溝孔及び横型ロックピン用の挿通穴を連通状態に設け、
前記挿通穴に挿通配置した横型ロックピン構造を構成する横型ロックピン本体外周の前記挿通穴との係合と、前記溝孔に固定配置した突出ピン構造のロック受体に対する前記横型ロックピン本体の回転操作に基づいて、前記横型ロックピン本体に設けた溝部と前記突出ピンとのロック嵌合による一体化又はロック嵌合解除による一体化解除とにより、前記アダプタと前記ツース盤とを、ロック状態又はロック解除状態とするにようにしたことを特徴とする作業機械バケットに用いる横型ロックピン構造。
【請求項２】
作業機械バケットの掘削縁部側に取り付けたアダプタに対して、このアダプタに嵌着するツース盤をロック又はロック解除可能に連結する横型ロックピン構造であって、
前記アダプタ及びツース盤に各々横方向に貫通するロック受体用の溝孔及び横型ロックピン用の挿通穴を連通状態に設け、
前記挿通穴に挿通配置した横型ロックピン構造を構成する横型ロックピン本体外周の前記挿通穴との係合と、前記溝孔に固定配置した半球状の金属突出ピン構造でその周囲にゴム材からなる突出ピン保持体を一体形成してなるロック受体に対する前記横型ロックピン本体の回転操作に基づいて、前記横型ロックピン本体に設けた溝部と前記突出ピンとのロック嵌合による一体化又はロック嵌合解除による一体化解除とにより、前記アダプタと前記ツース盤とを、ロック状態又はロック解除状態とするにようにしたことを特徴とする作業機械バケットに用いる横型ロックピン構造。
【請求項３】
前記横型ロックピン本体の外周には、その長手方向に挿入ラインを形成するガイド凹部を設けていることを特徴とする請求項１又は２記載の作業機械バケットに用いる横型ロックピン構造。
【請求項４】
前記横型ロックピン本体の中央部には、円周方向に沿って溝部が設けられ、この溝部はピン挿入ライン側のガイド凹部、続くピン円周溝部、続くピンロック用溝部の３連構成であり、横型ロックピン本体の外周面からの深さが、ピン挿入ラインの外周面からの深さ＜ピン円周溝部の外周面からの深さ＜ピンロック用溝部の外周面からの深さの順に大きく形成していることを特徴とする請求項１乃至３のいずれか１項に記載の作業機械バケットに用いる横型ロックピン構造。
【請求項５】
前記横型ロックピン本体の両端部には、回転操作用のナット形状部を設けていることを特徴とする請求項１乃至４のいずれか１項に記載の作業機械バケットに用いる横型ロックピン構造。
【請求項６】
前記横型ロックピン本体の円周方向に沿って螺旋溝部が設けられ、この螺旋溝部に前記ロック受体の金属突出ピン構造に対応して、ガイド凹部、続くピン円周溝部、続くピンロック用溝部の３連構成を繰り返し形成していることを特徴とする請求項１、２又は請求項５のいずれか１項に記載の作業機械バケットに用いる横型ロックピン構造。
【請求項７】
前記ロック受体用の溝孔に固定配置した円筒状の金属突出ピン構造でその周囲にゴム材からなる突出ピン保持体を一体成型してなるロック受体と、
前記横型ロックピン本体の外周に、その長手方向に挿入ラインを形成するとともに、前記ロック受体の円筒状の金属突出ピンに嵌合させる円筒面形状の溝部を備える横型ロックピン本体と、
を有することを特徴とする請求項１乃至５のいずれか１項に記載の作業機械バケットに用いる横型ロックピン構造。
【請求項８】
前記ロック受体用の溝孔に固定配置した山形状の金属突出ピン構造でその周囲にゴム材からなる突出ピン保持体を一体成型してなるロック受体と、
前記横型ロックピン本体の外周に、その長手方向に挿入ラインを形成するとともに、前記ロック受体の山形状の金属突出ピンに対応する山形凹面形状の溝部を備える横型ロックピン本体と、
を有することを特徴とする請求項１乃至５のいずれかに記載の作業機械バケットに用いる横型ロックピン構造。
【請求項９】
前記横型ロックピン本体外周の長手方向に形成される挿入ラインは、１条又は２以上の複数条を備えるようにしたものである請求項３、４、７又は８のいずれか１項に記載の横型ロックピン構造。
【請求項１０】
前記横型ロックピン本体の中央部に位置するロック嵌合用の溝部は、１条又は２以上の複数条を備えるようにしたものである請求項１、２、４、７又は８のいずれか１項に記載の横型ロックピン構造。
【請求項１１】
請求項１乃至１０のいずれか１項に記載の横型ロックピン構造を備えることを特徴とする作業機械バケット。
【考案の詳細な説明】
【技術分野】
【０００１】
本考案は、作業機械バケットに用いる横型ロックピン構造、及び該横型ロックピン構造を備える作業機械バケットに関し、詳しくは、ロックピンの着脱し易さを考慮して、着脱操作時における操作性の簡略容易化と、強い打撃を必要とすることなく軽度の打ち込みで作業できるようにした作業者の安全性の向上と、を図った作業機械バケットに用いる横型ロックピン構造、及び該横型ロックピン構造を備える作業機械バケットに関するものである。
【背景技術】
【０００２】
昨今、作業機械バケットにおけるアダプタ、ツース盤の一体化構造に関して、縦ピンタイプの固定方法からツース盤等の脱落の少ない横ピンタイプの需要が高まりつつある。
【０００３】
しかしながら、従来、多数ある横ピンタイプのロック方法も万能ではなく、様々な問題を内包している。
【０００４】
例えば、作業機械用のバケットに付設するポイントツース盤（楔形ツース盤）、及び同じく付設可能な交換式平板ツース（ツース盤）等の歯体をバケットに連結するためのロックピンの特に横型のロックピンにおいて、様々な横型ロックピンが存在するが、それらの多くは着脱の際に、ハンマーを用いた強い打撃作業が必要な場合があり、その打撃作業に伴う作業者の怪我の危険が問題となっている。
【０００５】
また、上記のような打撃作業を伴わないロック方法であっても、その構成パーツが多く構造も複雑なために、その取り扱いが非常に煩雑であったり、また、作業時に一層高価なセットが必要となっている。
【０００６】
例えば、特許文献１には、横型のロックピンの構成に関するものであり、作業機械バケットの掘削縁部側に列設したアダプタとこのアダプタに嵌装するポイントとを貫く横孔に嵌着する作業機械バケットの横ピンであって、横ピン打ち抜き工具の殴打端部と当接する端面部に凹陥部を設けた構成の作業機械バケットの横ピンが提案されている。
【０００７】
しかし、特許文献１の横ピンの場合、横ピン打ち抜き工具、すなわち、ハンマーを使用する構造、形態を前提とするものであり、依然としてハンマーの打撃作業に伴う作業者の怪我の危険性があるという問題を包含している。
【先行技術文献】
【特許文献】
【０００８】
【特許文献１】登録実用新案第３１３９９０４号公報
【考案の概要】
【考案が解決しようとする課題】
【０００９】
本考案は、従来の上記事情に鑑みて開発されたものであり、着脱し易さを考慮し、着脱操作時の操作性の簡略容易化と、強打撃の不要化による作業者の安全性の向上と、を図った作業機械バケットに用いる横型ロックピン構造、及び該横型ロックピン構造を備える作業機械バケットを提供するものである。
【課題を解決するための手段】
【００１０】
本考案の作業機械バケットに用いる横型ロックピン構造は、作業機械バケットの掘削縁部側に取り付けたアダプタに対して、このアダプタに嵌着するツース盤をロック又はロック解除可能に連結する横型ロックピン構造であって、前記アダプタ及びツース盤に、各々横方向に貫通するロック受体用の溝孔及び横型ロックピン用の挿通穴を連通状態に設けて、前記挿通穴に挿通配置した横型ロックピン構造を構成する横型ロックピン本体外周の前記挿通穴との係合と、前記溝孔に固定配置した突出ピン構造のロック受体に対する前記横型ロックピン本体の回転操作に基づいて、前記横型ロックピン本体に設けた溝部と前記突出ピンとのロック嵌合による一体化、又はロック嵌合解除による一体化解除とにより、前記アダプタと前記ツース盤とを、ロック状態又はロック解除状態とするにようにしたことを最も主要な特徴とする。
【考案の効果】
【００１１】
請求項１記載の考案によれば、ロックピンの着脱操作時における操作性の簡略容易化と強打撃の不要化による作業者の安全性の向上を図った優れた機能を発揮する作業機械バケットに用いる横型ロックピン構造を実現し提供することができる。
【００１２】
請求項２記載の考案によれば、ロック受体を半球状の金属突出ピン構造とし、横型ロックピン本体側を回転操作に基づき金属突出ピンとのはロック状態又はロック解除状態とする構成の基に、ロックピンの着脱操作時の操作性の簡略容易化と強打撃の不要化による作業者の安全性の向上を図った優れた機能を発揮する作業機械バケットに用いる横型ロックピン構造を実現し提供することができる。
【００１３】
請求項３記載の考案によれば、請求項１又は２記載の考案において、横型ロックピン本体の外周にはその長手方向に挿入ラインを形成するガイド凹部を設けていることから、この構成の基に、請求項１又は２記載の考案と同様な効果を奏するとともに、横型ロックピン本体の挿入操作時の取り扱い性が良好な作業機械バケットに用いる横型ロックピン構造を実現し提供することができる。
【００１４】
請求項４記載の考案によれば、前記横型ロックピン本体の中央部には円周方向に沿って溝部が設けられ、この溝部はピン挿入ライン側のガイド凹部、続くピン円周溝部、続くピンロック用溝部の３連構成であり、横型ロックピン本体の外周面からの深さがピン挿入ラインの外周面からの深さ＜ピン円周溝部の外周面からの深さ＜ピンロック用溝部の外周面からの深さの順に大きく形成していることから、この構成の基に、請求項１乃至３のいずれか１項に記載の考案と同様な効果を奏するとともに、ロックピンの着脱操作時の操作性の簡略容易化と横型ロックピン本体の回転操作に基づく前記横型ロックピン本体に設けた溝部と前記突出ピンとのロック嵌合による一体化又はロック嵌合解除による一体化解除操作の確実性を期すことが可能な作業機械バケットに用いる横型ロックピン構造を実現し提供することができる。
【００１５】
請求項５記載の考案によれば、横型ロックピン本体の両端部には、回転操作用のナット形状部を設けていることから、この構成の基に、請求項１乃至４のいずれか１項に記載の考案と同様な効果を奏するとともに、ラチェットレンチ等による回転操作作業の利便性の良い作業機械バケットに用いる横型ロックピン構造を実現し提供することができる。
【００１６】
請求項６記載の考案によれば、横型ロックピン本体に螺旋溝部を設け、この螺旋溝部に前記ロック受体の金属突出ピン構造に対応してガイド凹部、続くピン円周溝部、続くピンロック用溝部の３連構成を繰り返し形成していることから、この構成の基に、請求項１、２又は請求項５のいずれか１項に記載の考案と同様な効果を奏するとともに、横型ロックピン本体自体の各種使用箇所に対する適合性の多様化を図る作業機械バケットに用いる横型ロックピン構造を実現し提供することができる。
【００１７】
請求項７記載の考案によれば、円筒状の金属突出ピン構造とし、横型ロックピン本体側の溝部を円筒面形状とした構成の基に、請求項１乃至５のいずれか１項に記載の考案と同様な効果を奏する作業機械バケットに用いる横型ロックピン構造を実現し提供することができる。
【００１８】
請求項８記載の考案によれば、ロック受体側を山形状の金属突出ピン構造とし、横型ロックピン本体側を属突出ピンに対応する山形凹面形状の溝部を備える構成として、請求項１乃至５のいずれか１項に記載の考案と同様な効果を奏する作業機械バケットに用いる横型ロックピン構造を実現し提供することができる。
【００１９】
請求項９記載の考案によれば、横型ロックピン本体外周の長手方向に形成される挿入ラインを１条又は２以上の複数条を備えるようにした構成として、請求項３、４、７又は８のいずれか１項に記載の考案と同様な効果を奏する作業機械バケットに用いる横型ロックピン構造を実現し提供することができる。
【００２０】
請求項１０記載の考案によれば、横型ロックピン本体の中央部に位置するロック嵌合用の溝部を１条又は２以上の複数条を備えるようにした構成として、請求項１、２、４、７又は８のいずれか１項に記載の考案と同様な効果を奏する作業機械バケットに用いる横型ロックピン構造を実現し提供することができる。
【００２１】
請求項１１記載の考案によれば、請求項１乃至１０のいずれか１項に記載の横型ロックピン構造を備える作業機械バケットとしているので、アダプタに対するツース盤の脱着が簡略容易であり、かつ、作業者の安全性にも優れた作業機械バケットを実現し提供することができる。
【図面の簡単な説明】
【００２２】
【図１】図１は本考案の実施例に係る作業機械バケットに用いる横型ロックピン構造を示す概略横断面図である。
【図２】図２は本実施例に係る作業機械バケットに用いる横型ロックピン構造を示す概略縦断面図である。
【図３】図３は本実施例に係る作業機械バケットに用いる横型ロックピン構造におけるロック受体に対する横型ロックピン本体の挿入初期状態、回転操作状態、ロック状態を示す動作説明図である。
【図４】図４は本実施例に係る作業機械バケットに用いる横型ロックピン構造における横型ロックピン本体の正面、平面、底面、背面、左側面、右側面、及び斜視状態を示す一覧説明図である。
【図５】図５は本実施例に係る作業機械バケットに用いる横型ロックピン構造における横型ロックピン本体の溝部の形状であってピン挿入ライン側のガイド凹部、続くピン円周溝部、続くピンロック用溝部の３連構成を示す断面説明図である。
【図６】図６は本実施例に係る作業機械バケットに用いる横型ロックピン構造におけるロック受体の正面、平面、底面、背面、左側面、右側面、及び斜視状態を示す一覧説明図である。
【図７】図７は本実施例に係る作業機械バケットに用いる横型ロックピン構造におけるロック受体を透視図形態で示す概略斜視図である。
【図８】図８は本実施例に係る作業機械バケットに用いる横型ロックピン構造の横型ロックピン本体、及びロック受体のアダプタ、ツース盤への装着状態を示す概略説明図である。
【図９】図９は本実施例に係る作業機械バケットに用いる横型ロックピン構造を構成する横型ロックピン本体の変形例を示す概略斜視図である。
【図１０】図１０は本実施例に係る作業機械バケットに用いる横型ロックピン構造の第１の変形例である円筒型タイプの横型ロックピン本体及びロック受体を示す概略斜視図である。
【図１１】図１１は本実施例に係る作業機械バケットに用いる横型ロックピン構造の第２の変形例である山型タイプの横型ロックピン本体及びロック受体を示す概略斜視図である。
【図１２】図１２は本実施例に係る作業機械バケットに用いる横型ロックピン構造を備える作業機械バケットの概略斜視図である。
【考案を実施するための形態】
【００２３】
本考案は、着脱し易さを考慮し、着脱操作時の操作性の簡略容易化と、強打撃の不要化による作業者の安全性の向上とを図った作業機械バケットに用いる横型ロックピン構造を提供するという目的を、作業機械バケットの掘削縁部側に取り付けたアダプタに対して、このアダプタに嵌着するツース盤をロック又はロック解除可能に連結する横型ロックピン構造であって、前記アダプタ及びツース盤に、各々横方向に貫通するロック受体用の溝孔及び横型ロックピン用の挿通穴を連通状態に設け、前記挿通穴に挿通配置した横型ロックピン構造を構成する横型ロックピン本体外周の前記挿通穴との係合と、前記溝孔に固定配置した半球状の金属突出ピン構造で、その周囲にゴム材からなる突出ピン保持体を一体形成してなるロック受体に対する前記横型ロックピン本体の回転操作に基づく前記横型ロックピン本体に設けた溝部と前記突出ピンとのロック嵌合による一体化又はロック嵌合解除による一体化解除とにより、前記アダプタと前記ツース盤とを、ロック状態又はロック解除状態とするにようにした構成により実現した。
【実施例】
【００２４】
以下、各図面を参照して、本考案の実施例に係る作業機械バケットに用いる横型ロックピン構造、及び該横型ロックピン構造を備える作業機械バケットについて、詳細に説明する。
【００２５】
本実施例に係る作業機械バケット７１に用いる横型ロックピン構造１は、後述する作業機械バケット７１の掘削縁部側に取り付けたアダプタ２に対して、このアダプタ２の外側に嵌着するツース盤３をロック又はロック解除可能に連結するものである。
【００２６】
すなわち、図１、図２、図８に示すように、前記アダプタ２及びツース盤３に各々横方向に貫通するロック受体２１用の溝孔４及び横型ロックピン１１用の挿通穴５を連通状態に設けている。
【００２７】
そして、前記アダプタ２内の溝孔４内に、例えば３個の半球状の金属突出ピン構造でその周囲にゴム材からなる外装体２２を一体成型してなるロック受体２１を前記３個の半球状の金属突出ピン２１ａを前記挿通穴５側に向けた状態で固定配置している。
【００２８】
また、前記アダプタ２内の挿通穴５に対しては、横型ロックピン１１の横型ロックピン本体１２が例えば図１に示す矢印ａ方向から挿通され、横型ロックピン本体１２の両端部に設けた回転操作用のナット形状部１３の図２に示す矢印ｂ方向への回転操作により横型ロックピン本体１２と前記ロック受体２１とを前記アダプタ２内でロック結合させるように構成している。
【００２９】
このとき、前記挿通穴５に挿通配置した横型ロックピン構造１を構成する横型ロックピン本体１２の両側の外周端部は、前記挿通穴５と係合するように構成している。
【００３０】
このロック結合に関しては後に詳述する。
【００３１】
前記ロック受体２１の外装体２２の材質としては、例えばクロロプレンゴム（ＣＲ）を用いる例を、また、３個の半球状の金属突出ピン２１ａ及びそのピン保持体２１ｂの材質としては、例えば機械構造化用炭素鋼（Ｓ４５Ｃ）を用いる例を挙げることができる。
【００３２】
次に、図４乃至図８を参照して横型ロックピン１１、前記ロック受体２１について、詳述する。
【００３３】
図４は、本実施例に係る横型ロックピン構造１における横型ロックピン１１の正面、平面、底面、背面、左側面、右側面、及び斜視状態を一覧的に示すものである。
【００３４】
前記横型ロックピン１１は、横型ロックピン本体１２と、その両端部に設けたオペレータの回転操作（例えばラチェット操作等）用のナット形状部１３、１３とを具備している。
【００３５】
このナット形状部１３の外側端面には例えば三角形状のロック用目印１３ａを設けている。
【００３６】
また、前記横型ロックピン本体１２の外周には、その長手方向に挿入ラインＬを形成するガイド凹部１５ａを設けている。
【００３７】
更に、前記横型ロックピン本体１２の中央部には円周方向に沿って例えば３条の溝部１４が設けられ、この各溝部１４はピン挿入ラインＬ側のガイド凹部１５ａ、続くピン円周溝部１５ｂ、続くピンロック用溝部１５ｃの３連構成であり、横型ロックピン本体１２１の外周面からの深さが図５に示すようにピン挿入ラインＬの外周面からの深さ（例えば２ｍｍ）＜ピン円周溝部１５ｂの外周面からの深さ（例えば３ｍｍ）＜ピンロック用溝部１５ｃの外周面からの深さ（例えば４ｍｍ）のように順に大きく（深く）形成している。
【００３８】
図６は本実施例に係る横型ロックピン構造１におけるロック受体２１の正面、平面、底面、背面、左側面、右側面、及び斜視状態を一覧的に示すものである。
【００３９】
また、図７は本実施例に係る横型ロックピン構造１におけるロック受体２１を透視図形態で示すものである。
【００４０】
前記ロック受体２１は、３個の半球状の金属突出ピン２１ａ及びその金属突出ピン２１ａを一体的に保持するとともに、両端に前記３個の半球状の金属突出ピン２１ａとは反対となる配置で突出させた脚片２１ｃを備えるピン保持体２１ｂと、このピン保持体２１ｂの外周を前記金属突出ピン２１ａが外方に突出する態様で一体的に包囲するようにゴム製の外装体２２により一体成型した構成としている。
【００４１】
そして、図８に示すように、前記アダプタ２及びツース盤３に各々横方向に貫通する状態で設けた挿通穴５に横型ロックピン１１を回転操作可能に挿入し、また、ロック受体２１用の溝孔４内に前記ロック受体２１を固定配置となるように挿入するように構成している。
【００４２】
次に、本実施例に係る作業機械バケットに用いる横型ロックピン構造１におけるロック受体２１に対する横型ロックピン本体１２の挿入初期状態、回転操作状態、ロック状態について、図３を参照して説明する。
【００４３】
図３上欄はロック受体２１に対する横型ロックピン本体１２の挿入初期状態を示し、この状態ではロック受体２１における３個の半球状の金属突出ピン２１ａと、横型ロックピン１１側におけるピン挿入ラインＬ側のガイド凹部１５ａとが対向配置となっている。
【００４４】
このとき、前記挿通穴５に挿通配置した横型ロックピン構造１を構成する横型ロックピン本体１２の両側の外周端部は、前記ツース盤３の挿通穴５と係合するようになっている。
【００４５】
図３中欄は図３上欄の状態からオペレータがナット形状部１３を矢印ｂ方向に一定角度回転操作した状態を示し、この状態ではロック受体２１における３個の半球状の金属突出ピン２１ａと、横型ロックピン１１側におけるピン円周溝部１５ｂとが摺接する状態となっている。
【００４６】
図３下欄は図３中欄の状態からオペレータがナット形状部１３を更に矢印ｂ方向に一定角度回転操作した状態を示し、この状態では、ロック受体２１における３個の半球状の金属突出ピン２１ａが横型ロックピン１１側におけるピンロック用溝部１５ｃ内に入り込み、これにより、横型ロックピン１１とロック受体２１とがロック状態に一体化する態様を示している。
【００４７】
このようにして、オペレータは、ロック受体２１と対向するような横型ロックピン本体１２の挿入、２段階の回転操作を経て、極めて簡略、かつ、安全に、アダプタ２の外側に嵌着するツース盤３をロック状態とし、また、上述した場合と逆の回転操作を経て、横型ロックピン１１とロック受体２１とのロック解除を行い、ツース盤３をアダプタ２から取り外すことができる。
【００４８】
図９は本実施例に係る横型ロックピン構造１における横型ロックピン１１の変形例である横型ロックピン１１Ａを示すものであり、この横型ロックピン１１Ａにおいて、前記横型ロックピン１１と同一の要素には同一の符号を付して示す。
【００４９】
横型ロックピン１１Ａは、基本的構成は前記横型ロックピン１１と同様であるが、横型ロックピン本体１２の円周方向に沿って螺旋溝部１６が設けられ、この螺旋溝部１６に、前記ロック受体２１の金属突出ピン構造に対応してガイド凹部１７ａ、続くピン円周溝部１７ｂ、続くピンロック用溝部１７ｃの３連構成を繰り返し形成（例えば３か所）していることが特徴である。
【００５０】
前記横型ロックピン１１Ａの両端部には、既述した場合と同様ナット形状部１３、１３を形成し、かつ、ナット形状部１３の端面には例えば三角形状のロック用目印１３ａを設けている。
【００５１】
前記横型ロックピン１１Ａによっても前記横型ロックピン１１と同様な作用効果を発揮させることができる。
【００５２】
図１０は本実施例の横型ロックピン構造１の第１の変形例である横型ロックピン構造１Ａを示すものであり、この横型ロックピン構造１Ａにおいて、前記横型ロックピン構造１の場合と同一の要素には同一の符号を付して示す。
【００５３】
前記横型ロックピン構造１Ａは、前記横型ロックピン構造１の場合と略同様な構成であるが、ロック受体３１において３個の円筒型の金属突出ピン３２ａを備える構成とし、前記３個の円筒型の金属突出ピン３２ａを一体的に保持するとともに、両端に前記３個の円筒型の金属突出ピン３２ａとは反対方向となる配置で突出させた脚片３２ｃを備えるピン保持体３２ｂと、このピン保持体３２ｂの外周を、前記金属突出ピン３２ａが外方に突出する態様でゴム製の外装体３３により一体的に包囲するように一体成型した構成としている。
【００５４】
前記金属突出ピン３２ａやピン保持体３２ｂ、更には外装体３３の材質は、既述した場合と同様である。
【００５５】
また、前記横型ロックピン構造１Ａは、横型ロックピン４１の横型ロックピン本体４２の中央部領域の外周部に、前記３個の円筒型の金属突出ピン３２ａの形状に対応した３か所の円周面形態の溝部４３を設けている。
【００５６】
前記横型ロックピン４１は、横型ロックピン本体４２と、その両端部に設けたオペレータの回転操作用のナット形状部１３、１３とを具備し、かつ、ナット形状部１３の端面には例えば三角形状のロック用目印１３ａを設けている。
【００５７】
また、前記横型ロックピン本体４２の外周に設けた前記溝部４３は、その長手方向に挿入ラインＬを形成するガイド凹部４５ａを備えている。
【００５８】
更に、前記横型ロックピン本体１２の中央部には円周方向に沿って例えば３条の円周面形態の溝部４３が設けられ、この各溝部１４はピン挿入ラインＬ側の円周面形態のガイド凹部４５ａ、続く円周面形態のピン円周溝部４５ｂ、続く円周面形態のピンロック用溝部４５ｃの３連構成としている。
【００５９】
このような第１の変形例である横型ロックピン構造１Ａによっても、既述した横型ロックピン構造１の場合と同様な作用効果を発揮させることができる。
【００６０】
図１１本実施例の横型ロックピン構造１の第２の変形例である横型ロックピン構造１Ｂを示すものであり、この横型ロックピン構造１Ｂにおいて、前記横型ロックピン構造１の場合と同一の要素には同一の符号を付して示す。
【００６１】
前記横型ロックピン構造１Ｂは、前記横型ロックピン構造１の場合と略同様な構成であるが、ロック受体５１において山形状の金属突出ピン５２ａを備える構成とし、前記山形状の金属突出ピン５２ａを一体的に保持するとともに、両端に前記金属突出ピン５２ａとは反対方向となる配置で突出させた脚片５２ｃを備えるピン保持体５２ｂと、このピン保持体５２ｂの外周を前記金属突出ピン５２ａが外方に突出する態様でゴム製の外装体５３により一体的に包囲するように一体成型した構成としている。
【００６２】
前記金属突出ピン５２ａやピン保持体５２ｂ更には外装体５３の材質は既述した場合と同様である。
【００６３】
また、前記横型ロックピン構造１Ｂは、横型ロックピン６１の横型ロックピン本体６２の中央部領域の外周部に、前記山形状の金属突出ピン５２ａの形状に対応した円周面形態の溝部６３を設けている。
【００６４】
前記横型ロックピン６１は、横型ロックピン本体６２と、その両端部に設けたオペレータの回転操作用のナット形状部１３、１３とを具備し、かつ、ナット形状部１３の端面には例えば三角形状のロック用目印１３ａを設けている。
【００６５】
また、前記横型ロックピン本体６２の外周に設けた前記溝部６３は、その長手方向に挿入ラインＬを形成するガイド凹部６５ａを備えている。
【００６６】
更に、前記横型ロックピン本体６２の中央部には円周方向に沿って円周面形態の溝部６３が設けられ、この溝部６３はピン挿入ラインＬ側の円周面形態のガイド凹部６５ａ、続く円周面形態のピン円周溝部６５ｂ、続く円周面形態のピンロック用溝部６５ｃの３連構成としている。
【００６７】
このような第２の変形例である横型ロックピン構造１Ｂによっても、既述した横型ロックピン構造１の場合と同様な作用効果を発揮させることができる。
【００６８】
図１２は、既述した本実施例に係る横型ロックピン構造１を備える作業機械バケット７１を示すものである。
【００６９】
この作業機械バケット７１は、作業機械バケット７１自体の掘削縁部側に幅方向に３連構成でアダプタ２を取り付け、各アダプタ２に対して各々前記ツース盤３を３連構成で嵌め付け、合計３組の横型ロックピン構造１を備える構成としたものである。
【００７０】
なお、図１２に示す例は一例であり、各アダプタ２、ツース盤３の連設個数は、使用目的に応じ２連、４連、５連等種々の変形態様を採用し得ることは言うまでもない。
【００７１】
以上説明したように、本実施例に係る横型ロックピン構造１によれば、横型ロックピン１１に設けた回転操作用具として機能するナット形状部１３の一定方向の回転操作に基づいて横型ロックピン１１とロック受体２１とがロック状態に一体化することになり、また、ナット形状部１３の逆方向への回転操作により横型ロックピン１１とロック受体２１とのロック状態解除も容易におこなうことができ、この結果、前記ツース盤３をアダプタ２に対してロック状態又はロック解除状態とする作業を、着脱操作時の操作性の簡略容易化と強打撃の不要化による作業者の安全性の向上を図りつつ着実に実行することが可能となる。
【００７２】
前記第１の変形例である横型ロックピン構造１Ａ、第２の変形例である横型ロックピン構造１Ｂを採用した場合も同様である。
【００７３】
また、本実施例に係る横型ロックピン構造１を採用した作業機械バケット７１によれば、ツース盤３をアダプタ２に対してロック状態又はロック解除状態とする作業を、着脱操作時の操作性の簡略容易化を図りつつハンマー等の打撃用具を用いての強打撃作業の必要もなく安全性が向上した作業機械バケット７１の保守作業等を実行可能となる。
【００７４】
以上説明した本実施例に係る横型ロックピン構造を作業機械バケットに具備すると、一層優れた作業機械バケットを実現し提供することができる。
【００７５】
なお、以下、本実施例について更に付言する。
本実施例に係る横型ロックピン構造１によれば、横型ロックピン本体１２の長手方向に挿入ラインＬを設け、中央部領域には円周に沿っての溝部があり、横型ロックピン本体１２を回転させた先にロック受け体２１を配置して、回転操作により横型ロックピン１１とロック受け体２１とを簡略容易にロック状態又はロック解除状態とするように構成し、ツース盤３をアダプタ２に対して管理役にロック状態又はロック解除状態とすることを可能としているので、特に着脱操作時の操作性の簡略容易化と強打撃の不要化による作業者の安全性の向上を図ることができる。
【００７６】
また、横型ロックピン本体１２の各溝はピン挿入ライン＜ピン円周溝＜ピンロック用窪みの順番で深くなっていることから、横型ロックピン１１とロック受け体２１とのロック状態をより抜け難い構造とすることができる。
【００７７】
本実施例に係る横型ロックピン構造１によれば、ロック受け体２１は、従来型のロック受け体とよく似た外観形状をしているが、横型ロックピン１１と噛み合う金属突出ピンの部分が外装体と一体化しているので、従来品のように金属突出ピンの部分がラバー部より脱落するという問題を回避できる。
【００７８】
本実施例に係る横型ロックピン構造１によれば、ロック受け体２１における金属突出ピンの部分は、ゴム製の外装体により保護されているので、掘削方向の荷重でも均し方向の荷重においても直接的な荷重を受け難く、破損に対しても効果的である利点がある。
【００７９】
更に、本実施例、変形例においては、横型ロックピン構造１、１Ａ、１Ｂで示すように、金属突出ピンの部分の形態としては、半球形の３連形状のみならず、円筒型や山形一体型というように用途に合わせて使い分ける事が可能である。
【００８０】
更に、ロック受け体２１における金属突出ピンの突出個数も１個〜４個、５個等の複数個構成とすることもできる。
【産業上の利用可能性】
【００８１】
本考案に係る横型ピン構造は、単に横型の形態のみならず縦型又は斜め型の形態としての応用も幅広く可能である。また、前記したように、本考案に係る横型ロックピン構造を作業機械バケットに具備すると、一層優れた作業機械バケットを実現し提供することができる。
【符号の説明】
【００８２】
１    横型ロックピン構造
１Ａ  横型ロックピン構造
１Ｂ  横型ロックピン構造
２    アダプタ
３    ツース盤
４    溝孔
５    挿通穴
１１    横型ロックピン
１１Ａ  横型ロックピン
１２    横型ロックピン本体
１３    ナット形状部
１３ａ  ロック用目印
１４    溝部
１５ａ  ガイド凹部
１５ｂ  ピン円周溝部
１５ｃ  ピンロック用溝部
１６    螺旋溝部
１７ａ  ガイド凹部
１７ｂ  ピン円周溝部
１７ｃ  ピンロック用溝部
２１    ロック受体
２１ａ  金属突出ピン
２１ｂ  ピン保持体
２１ｃ  脚片
２２    外装体
３１    ロック受体
３２ａ  金属突出ピン
３２ｂ  ピン保持体
３２ｃ  脚片
３３    外装体
４１    横型ロックピン
４２    横型ロックピン本体
４３    溝部
４５ａ  ガイド凹部
４５ｂ  ピン円周溝部
４５ｃ  ピンロック用溝部
５１    ロック受体
５２ａ  金属突出ピン
５２ｂ  ピン保持体
５２ｃ  脚片
５３    外装体
６１    横型ロックピン
６２    横型ロックピン本体
６３    溝部
６５ａ  ガイド凹部
６５ｂ  ピン円周溝部
６５ｃ  ピンロック用溝部
７１    作業機械バケット
Ｌ    挿入ライン
【図１】
0003235582.tif 000003
【図２】
0003235582.tif 000004
【図３】
0003235582.tif 000005
【図４】
0003235582.tif 000006
【図５】
0003235582.tif 000007
【図６】
0003235582.tif 000008
【図７】
0003235582.tif 000009
【図８】
0003235582.tif 000010
【図９】
0003235582.tif 000011
【図１０】
0003235582.tif 000012
【図１１】
0003235582.tif 000013
【図１２】
0003235582.tif 000014